【手続補正書】
【提出日】平成18年3月24日(2006.3.24)
【手続補正１】
【補正対象書類名】明細書
【補正対象項目名】特許請求の範囲
【補正方法】変更
【補正の内容】
【特許請求の範囲】
【請求項１】  導電性支持体上に直接または中間層を介して電荷発生層、電荷輸送層を順次設けた積層型電子写真感光体において、該電子写真感光体が書込光として４００〜４５０ｎｍの波長を有する半導体レーザー光を照射され、且つ該電荷輸送層が少なくとも高分子型電荷輸送材料を含有し、且つ３９０〜４６０ｎｍ波長領域の単色光を透過することを特徴とする電子写真感光体。
【請求項２】  電荷輸送層が少なくとも電荷輸送材料からなる層の上に、少なくとも高分子型電荷輸送材料からなる層を順次設けた積層で構成されることを特徴とする請求項１に記載の電子写真感光体。
【請求項３】  上記高分子型電荷輸送材料が下記一般式（１）及び（２）で表わされる構成単位からなり、一般式（１）で表わされる構成単位の組成比をｋ、一般式（２）で表わされる構成単位の組成比をｊとしたとき、組成比の割合が０＜ｋ／（ｋ＋ｊ）≦１で表わされる高分子型電荷輸送材料であることを特徴とする請求項１または２に記載の電子写真感光体。
【化１】
2002055473.tif 000001
〔式中、Ｒ10は水素原子または炭素数１〜６の無置換もしくは置換のアルキル基、Ｒ11、Ｒ12、Ｒ13はハロゲン原子、炭素数１〜６の無置換もしくは置換のアルキル基（Ｒ11、Ｒ12、Ｒ13が各々複数個存在するときは同一であっても別異であってもよい）、Ｒ14、Ｒ15は無置換もしくは置換のアリール基を示し、ａ、ｂ、ｃは各々０〜４の整数を示す。〕
【化２】
2002055473.tif 000002
〔式中、Ｘは炭素数２〜２０の無置換もしくは置換脂肪族炭化水素２価基、無置換もしくは置換脂環式炭化水素２価基、炭素数６〜２０の無置換もしくは置換芳香族炭化水素２価基、またはこれら２価基が結合した２価基、または下記表１で表わせる２価基を示す。〕
【表１】
2002055473.tif 000003
〔式中、Ｒ101、Ｒ102、Ｒ103、Ｒ104はハロゲン原子、炭素数１〜６の無置換もしくは置換のアルキル基または無置換もしくは置換のアリール基（Ｒ101、Ｒ102、Ｒ103、Ｒ104が各々複数個存在するときは、同一であっても別異であってもよい）、ｏ、ｐは０〜４の整数、ｑ、ｒは０〜３の整数、Ｙは単結合、炭素数２〜１２の直鎖状のアルキレン基、炭素数３〜１２の無置換もしくは置換分岐状アルキレン基、一つ以上の炭素数１〜１０のアルキレン基と一つ以上の酸素原子及び硫黄原子から構成される２価基、−Ｏ−、−Ｓ−、−ＳＯ−、−ＳＯ2−、−ＣＯ−、−ＣＯＯ−または下記表２
【表２】
2002055473.tif 000004
（式中、Ｚ1は炭素数２〜２０の無置換もしくは置換脂肪族炭化水素２価基または無置換もしくは置換アリレン基を示し、Ｚ2は炭素数２〜２０の無置換もしくは置換脂肪族炭化水素２価基または無置換もしくは置換アリレン基を示し、Ｒ105はハロゲン原子、炭素数１〜６の無置換もしくは置換アルキル基、炭素数１〜６の無置換もしくは置換のアルコキシ基または無置換もしくは置換アリール基を示し、Ｒ106、Ｒ107は水素原子、ハロゲン原子、炭素数１〜６の無置換もしくは置換アルキル基、炭素数１〜６の無置換もしくは置換のアルコキシ基または無置換もしくは置換アリール基を示し、またＲ106、Ｒ107が結合して炭素数５〜１２の炭素環を形成してもよく、Ｒ108、Ｒ109、Ｒ110、Ｒ111は水素原子、ハロゲン原子、炭素数１〜６の無置換もしくは置換アルキル基、炭素数１〜６の無置換もしくは置換のアルコキシ基または無置換もしくは置換アリール基を示し、Ｒ112はハロゲン原子、炭素数１〜６の無置換もしくは置換アルキル基、炭素数１〜６の無置換もしくは置換のアルコシキ基または無置換もしくは置換アリール基を示し、Ｒ113、Ｒ114は単結合または炭素数１〜４のアルキレン基を表わし、Ｒ115、Ｒ116は炭素数１〜６の無置換もしくは置換アルキル基または無置換もしくは置換アリール基を示し、ｓは０〜４の整数、ｔは１または２、ｕは０〜４の整数、ｖは０〜２０の整数、ｗは０〜２０００の整数を示す）で表わせる２価基を示す。〕
【請求項４】  上記高分子型電荷輸送材料が下記一般式（３）及び前記一般式（２）で表わされる構成単位からなり、一般式（３）で表わされる構成単位の組成比をｋ、一般式（２）で表わされる構成単位の組成比をｊとしたとき、組成比の割合が０＜ｋ／（ｋ＋ｊ）≦１で表わされる高分子型電荷輸送材料であることを特徴とする請求項１または２に記載の電子写真感光体。
【化３】
2002055473.tif 000005
〔式中、Ｒ16は水素原子または炭素数１〜６の無置換もしくは置換のアルキル基、無置換もしくは置換のアリール基、Ａｒ11、Ａｒ12、Ａｒ13は無置換もしくは置換のアリレン基を示す。Ｒ14、Ｒ15は前記定義と同一である。〕
【請求項５】  上記高分子型電荷輸送材料が下記一般式（４）及び前記一般式（２）で表わされる構成単位からなり、一般式（４）で表わされる構成単位の組成比をｋ、一般式（２）で表わされる構成単位の組成比をｊとしたとき、組成比の割合が０＜ｋ／（ｋ＋ｊ）≦１で表わされる高分子型電荷輸送材料であることを特徴とする請求項１または２に記載の電子写真感光体。
【化４】
2002055473.tif 000006
〔式中、Ｒ14、Ｒ15、Ａｒ11、Ａｒ12、Ａｒ13は前記定義と同一である。〕
【請求項６】  上記高分子型電荷輸送材料が下記一般式（５）及び前記一般式（２）で表わされる構成単位からなり、一般式（５）で表わされる構成単位の組成比をｋ、一般式（２）で表わされる構成単位の組成比をｊとしたとき、組成比の割合が０＜ｋ／（ｋ＋ｊ）≦１で表わされる高分子型電荷輸送材料であることを特徴とする請求項１または２に記載の電子写真感光体。
【化５】
2002055473.tif 000007
〔式中、ｄは１〜５の整数を示す。Ｒ14、Ｒ15、Ａｒ11、Ａｒ12、Ａｒ13は前記定義と同一である。〕
【請求項７】  上記高分子型電荷輸送材料が下記一般式（６）及び前記一般式（２）で表わされる構成単位からなり、一般式（６）で表わされる構成単位の組成比をｋ、一般式（２）で表わされる構成単位の組成比をｊとしたとき、組成比の割合が０＜ｋ／（ｋ＋ｊ）≦１で表わされる高分子型電荷輸送材料であることを特徴とする請求項１または２に記載の電子写真感光体。
【化６】
2002055473.tif 000008
〔式中、Ａｒ14、Ａｒ15、Ａｒ16は無置換もしくは置換のアリレン基、Ｘ1、Ｘ2は無置換もしくは置換のエチレン基、または無置換もしくは置換のビニレン基を示す。Ｒ14、Ｒ15は前記定義と同一である。〕
【請求項８】  上記高分子型電荷輸送材料が下記一般式（７）及び前記一般式（２）で表わされる構成単位からなり、一般式（７）で表わされる構成単位の組成比をｋ、一般式（２）で表わされる構成単位の組成比をｊとしたとき、組成比の割合が０＜ｋ／（ｋ＋ｊ）≦１で表わされる高分子型電荷輸送材料であることを特徴とする請求項１または２に記載の電子写真感光体。
【化７】
2002055473.tif 000009
〔式中、Ｒ17、Ｒ18は無置換もしくは置換のアリール基、Ａｒ17、Ａｒ18、Ａｒ19は無置換もしくは置換のアリレン基、Ｙ1、Ｙ2、Ｙ3は単結合、無置換もしくは置換のアルキレン基、無置換もしくは置換のシクロアルキレン基、無置換もしくは置換のアルキレンエーテル基、酸素原子、硫黄原子、ビニレン基を表わし同一であっても異なってもよい。Ｒ14、Ｒ15、Ａｒ13は前記定義と同一である。〕
【請求項９】  上記高分子型電荷輸送材料が下記一般式（８）及び前記一般式（２）で表わされる構成単位からなり、一般式（８）で表わされる構成単位の組成比をｋ、一般式（２）で表わされる構成単位の組成比をｊとしたとき、組成比の割合が０＜ｋ／（ｋ＋ｊ）≦１で表わされる高分子型電荷輸送材料であることを特徴とする請求項１または２に記載の電子写真感光体。
【化８】
2002055473.tif 000010
〔式中、Ｒ14、Ｒ15、Ａｒ13、Ａｒ14、Ａｒ15は前記定義と同一である。〕
【請求項１０】  上記高分子型電荷輸送材料が下記一般式（９）及び前記一般式（２）で表わされる構成単位からなり、一般式（９）で表わされる構成単位の組成比をｋ、一般式（２）で表わされる構成単位の組成比をｊとしたとき、組成比の割合が０＜ｋ／（ｋ＋ｊ）≦１で表わされる高分子型電荷輸送材料であることを特徴とする請求項１または２に記載の電子写真感光体。
【化９】
2002055473.tif 000011
〔式中、Ｒ14、Ａｒ11、Ａｒ12、Ａｒ14、Ａｒ15は前記定義と同一である。〕
【請求項１１】  上記高分子型電荷輸送材料が下記一般式（１０）及び前記一般式（２）で表わされる構成単位からなり、一般式（１０）で表わされる構成単位の組成比をｋ、一般式（２）で表わされる構成単位の組成比をｊとしたとき、組成比の割合が０＜ｋ／（ｋ＋ｊ）≦１で表わされる高分子型電荷輸送材料であることを特徴とする請求項１または２に記載の電子写真感光体。
【化１０】
2002055473.tif 000012
〔式中、Ａｒ20、Ａｒ21、Ａｒ22、Ａｒ23、Ａｒ24は無置換もしくは置換のアリレン基を示す。Ｒ14、Ｒ15、Ｒ17、Ｒ18は前記定義と同一である。〕
【請求項１２】  上記高分子型電荷輸送材料が下記一般式（１１）及び前記一般式（２）で表わされる構成単位からなり、一般式（１１）で表わされる構成単位の組成比をｋ、一般式（２）で表わされる構成単位の組成比をｊとしたとき、組成比の割合が０＜ｋ／（ｋ＋ｊ）≦１で表わされる高分子型電荷輸送材料であることを特徴とする請求項１または２に記載の電子写真感光体。
【化１１】
2002055473.tif 000013
〔式中、Ｒ14、Ｒ15、Ａｒ13、Ａｒ14、Ａｒ15は前記定義と同一である。〕
【請求項１３】  上記高分子型電荷輸送材料が下記一般式（１２）及び前記一般式（２）で表わされる構成単位からなり、一般式（１２）で表わされる構成単位の組成比をｋ、一般式（２）で表わされる構成単位の組成比をｊとしたとき、組成比の割合が０＜ｋ／（ｋ＋ｊ）≦１で表わされる高分子型電荷輸送材料であることを特徴とする請求項１または２に記載の電子写真感光体。
【化１２】
2002055473.tif 000014
〔式中、Ｒ14、Ａｒ14、Ａｒ15は前記定義と同一である。〕
【請求項１４】  上記高分子型電荷輸送材料が下記一般式（１３）及び前記一般式（２）で表わされる構成単位からなり、一般式（１３）で表わされる構成単位の組成比をｋ、一般式（２）で表わされる構成単位の組成比をｊとしたとき、組成比の割合が０＜ｋ／（ｋ＋ｊ）≦１で表わされる高分子型電荷輸送材料であることを特徴とする請求項１または２記載の電子写真感光体。
【化１３】
2002055473.tif 000015
〔式中、Ｒ14、Ｒ16、Ａｒ11、Ａｒ12、Ａｒ14、Ａｒ15は前記定義と同一である。〕
【請求項１５】  請求項１乃至１４のいずれか１に記載の電子写真感光体を用い、帯電、像露光、現像及び転写を行なうことを特徴とする電子写真方法。
【請求項１６】  像露光手段における書込光源の波長が４００〜４５０ｎｍの範囲に発振波長を有する半導体レーザーもしくは発光ダイオードであることを特徴とする請求項１５に記載の電子写真方法。
【請求項１７】  請求項１乃至１４のいずれか１に記載の電子写真感光体を有すると共に、帯電手段、像露光手段、現像手段及び転写手段を備えたことを特徴とする電子写真装置。
【請求項１８】  像露光手段における書込光源のビーム系が１０〜３０μｍであることを特徴とする請求項１７に記載の電子写真装置。
【請求項１９】  像露光手段における書込光源の波長が、４００〜４５０ｎｍの範囲に発振波長を有する半導体レーザーもしくは発光ダイオードであることを特徴とする請求項１７または１８に記載の電子写真装置。
【請求項２０】  請求項１乃至１４のいずれか１に記載の電子写真感光体と、帯電手段、像露光手段、現像手段及び転写手段及びクリーニング手段から選ばれた少なくとも一つの手段とを一体的に形成し、電子写真装置本体に着脱自在としたことを特徴とする電子写真装置用プロセスカートリッジ。
【請求項２１】  像露光手段における書込光源の波長が、４００〜４５０ｎｍの範囲に発振波長を有する半導体レーザーもしくは発光ダイオードであることを特徴とする請求項２０に記載の電子写真装置用プロセスカートリッジ。
【手続補正２】
【補正対象書類名】明細書
【補正対象項目名】００３２
【補正方法】変更
【補正の内容】
【００３２】
【化２８】
2002055473.tif 000016
〔式中、Ｒ14、Ｒ16、Ａｒ11、Ａｒ12、Ａｒ14、Ａｒ15は前記定義と同一である。〕」によって達成される。
【手続補正３】
【補正対象書類名】明細書
【補正対象項目名】００３３
【補正方法】削除
【補正の内容】
【手続補正４】
【補正対象書類名】明細書
【補正対象項目名】００３４
【補正方法】削除
【補正の内容】
【手続補正５】
【補正対象書類名】明細書
【補正対象項目名】００３５
【補正方法】変更
【補正の内容】
【００３５】
また、前記課題は、本発明の（１５）「前記第（１）乃至第（１４）項のいずれか１に記載の電子写真感光体を用い、帯電、像露光、現像及び転写を行なうことを特徴とする電子写真方法」、（１６）「像露光手段における書込光源の波長が４００〜４５０ｎｍの範囲に発振波長を有する半導体レーザーもしくは発光ダイオードであることを特徴とする前記第（１５）項に記載の電子写真方法」によって達成される。
【手続補正６】
【補正対象書類名】明細書
【補正対象項目名】００３６
【補正方法】変更
【補正の内容】
【００３６】
また、前記課題は、本発明の（１７）「前記第（１）項乃至第（１４）項のいずれか１に記載の電子写真感光体を有すると共に、帯電手段、像露光手段、現像手段及び転写手段を備えたことを特徴とする電子写真装置」、（１８）「像露光手段における書込光源のビーム系が１０〜３０μｍであることを特徴とする前記第（１７）項に記載の電子写真装置」、（１９）「像露光手段における書込光源の波長が、４００〜４５０ｎｍの範囲に発振波長を有する半導体レーザーもしくは発光ダイオードであることを特徴とする前記第（１７）項または第（１８）項に記載の電子写真装置」によって達成される。
【手続補正７】
【補正対象書類名】明細書
【補正対象項目名】００３７
【補正方法】変更
【補正の内容】
【００３７】
さらにまた、前記課題は、本発明の（２０）「前記第（１）項乃至第（１４）項のいずれか１に記載の電子写真感光体と、帯電手段、像露光手段、現像手段及び転写手段及びクリーニング手段から選ばれた少なくとも一つの手段とを一体的に形成し、電子写真装置本体に着脱自在としたことを特徴とする電子写真装置用プロセスカートリッジ」、（２１）「像露光手段における書込光源の波長が、４００〜４５０ｎｍの範囲に発振波長を有する半導体レーザーもしくは発光ダイオードであることを特徴とする前記第（２０）項に記載の電子写真装置用プロセスカートリッジ」によって達成される。
【手続補正８】
【補正対象書類名】明細書
【補正対象項目名】００５８
【補正方法】変更
【補正の内容】
【００５８】
また、本件樹脂は下記一般式（３）〜（１３）で表わされる構成単位と前記一般式（２）で表わされる構成単位からなり、一般式（３）〜（１３）で表わされる構成単位の組成比をｋ、一般式（２）で表わされる構成単位の組成比をｊとしたとき、組成比の割合が０＜ｋ／（ｋ＋ｊ）≦１で表わされる高分子型電荷輸送材料である。
【手続補正９】
【補正対象書類名】明細書
【補正対象項目名】００７０
【補正方法】削除
【補正の内容】
【手続補正１０】
【補正対象書類名】明細書
【補正対象項目名】００７１
【補正方法】削除
【補正の内容】
【手続補正１１】
【補正対象書類名】明細書
【補正対象項目名】００７３
【補正方法】削除
【補正の内容】